(57)【要約】【課題】フック部に略Ｖ字形の係止部材を、それの基端部に設けた支軸と、フック部の内周縁に設けた周方向に開裂部のある軸穴状の軸支部との嵌合により回動自在に軸支するハンガーの係止部材において、係止部材の支軸が軸支部から外れて係止部材が脱落するようになるのを防止する点にある。【解決手段】略Ｖ字状に成形した係止部材３の基端側に設けた支軸ａを嵌合せしめて軸支するよう、鈎状に成形するフック部２の内周縁に、軸方向視において、周方向の一部に外部に向け開放する開裂部４１のある軸穴状をなす軸穴４０として形成する軸支部ｂを、それの開裂部４１が、該軸穴状の軸支部ｂの周縁で、フック部２の内周側に位置する部位４ａの下端側に、下方に向け開放する形状に形成しておく。【選択図】図９
2005342080.tif 000002
【特許請求の範囲】
【請求項１】
フック部２の内側空間を横切る上位側の脚片３０と、これより短い下位側の脚片３１とが、一端側において連結して、正面視において略Ｖ字形をなす形状に形成した係止部材３を、それの基端部に設けた支軸ａと、軸方向視で周方向の一部に外部に向け開放する開裂部４１のある軸穴状に形成してフック部２の内周縁部に設けた軸支部ｂとの嵌合により、支軸ａ中心に上下に自在に回動するようフック部２に軸支し、フック部２の内周縁には、係止部材３に抱え込まれたポールＰの外周面と当接する当接面ｗ・ｗ’を設けてなるハンガーの係止装置において、軸支部ｂを、開裂部４１が、軸穴４０を囲う周縁部のフック部２の内側空間に対面する部位４ａの下端側となる位置に、下方に向けて開放する形状に形成してフック部２の内周縁に設けて、軸穴４０に嵌合する支軸ａの軸穴４０からの脱出を防止するようにしたことを特徴とするハンガーの係止装置。
【請求項２】
軸支部ｂの、軸穴４０を囲う周縁部でフック部２の内側空間に対面する部位４ａの下端に、軸支部ｂに嵌合せしめる支軸ａを軸穴４０に向け誘導せしめる傾斜面ｄを形成したことを特徴とする請求項１記載のハンガーの係止装置。
【発明の詳細な説明】
【技術分野】
【０００１】
本発明は、洗濯物を懸架したハンガーを物干竿に掛けたときに、風にあおられても、ハンガーが物干竿上を横すべりしたり、外れて飛ばされたりすることのないように、ハンガーを物干竿に対して係止させるハンガーの係止装置についての改良に関する。
【背景技術】
【０００２】
洗濯物を懸架したハンガーを、物干竿に設置したポール（物干竿）またはロープ（物干紐）に引き掛けて吊るし、洗濯物を干すようにする際、洗濯物が風にあおられて浮き上がることで、重量を消失させた状態となると、洗濯物を懸架してポールまたはロープに引き掛けたハンガーが、僅かの外力が加わることにより、ポールまたはロープに対して、横すべりして、そのポールまたはロープの一端側に寄せられたり、ポールまたはロープから外れて飛ばされるようになることが多い。
【０００３】
このため、ハンガーには、ポールにフック部を引き掛けて吊したときに、ハンガーをポールに対して係止または係着させるようにする係止装置を装備せしめるようにしている。
【０００４】
このハンガーに装備せしめるハンガーのポールに対する係止装置は、通常、ハンガーのフック部をポール（物干竿）に引き掛けたときに、ポールを抱え込むようになる係止部材をフック部に組み込むことで構成している。
【０００５】
この係止装置は、例えば、出願人が既に開発して出願している先行技術について具体的にいえば、図１にあるように、ハンガーＡの主体部１の頂部に設けられるフック部２を横切る長さの上位側の脚片３０と、これより短い下位側の脚片３１とが、それらの各一端側において所定の角度をもって交差し連結して、正面視において略Ｖ字形をなす形状の係止部材３を成形し、この係止部材３の両脚片３０・３１が連結する一端側の基端部に支軸ａを設け、この支軸ａを、図２にあるように、フック部２の内周縁に設けておく軸支部ｂに嵌合して、係止部材３をこの支軸ａ中心に上下に自在に回動するよう軸支し、これにより、ハンガーＡのフック部２を、ポールＰに引き掛けたときに、ポールＰの周面の一半側がＶ字形の係止部材３の上位側の脚片３０と下位側の脚片３１との間隔ｃ内に嵌入して、フック部２をポールＰに引き掛けるときのポールＰに対する下降作動により、Ｖ字形の係止部材３がポールＰを抱え込んだ状態で、図４にあるよう支軸ａ中心に上方に回動するようにしておく。
【０００６】
そして、フック部２の内周縁には、支軸ａを軸支する軸支部ｂと対向する側の部位に、Ｖ字形の係止部材３に抱え込まれたポールＰの外周面で、Ｖ字形の係止部材３の両脚片３０・３１の間隔ｃの開放側に向かう部位と当接して、ポールＰを間隔ｃの奥に向け押し込むようにする弧状の当接面ｗを形成しておくことで、ハンガーの係止装置を構成するようにし、これにより、ポールＰをＶ字形の係止部材３の両脚片３０・３１の内面と弧状の当接面ｗとで挟持して、ハンガーＡをポールＰに対して係止させるようにしているものである。
【０００７】
この手段は、Ｖ字形の係止部材３を、バネ材または弾性を具備する合成樹脂材を用いて成形したときは、ポールＰを抱え込んでの上昇回動により、抱え込んだポールＰの外周側を弧状の当接面ｗに当接させて嵌合させたときに、ポールＰが受ける当接面ｗからの圧力によりそのポールＰが間隔ｃの奥に向け押し込まれて、係止部材３の両脚片３０・３１を弾性的に押し拡げるようになって、その両脚片３０・３１が復元するときに生ずるベクトルの合成によりポールＰを当接面ｗに押し出す力が発生し、ポールＰに対するハンガーＡの係止を一層効果的にし、１０メートル程度の風速時でも風にあおられて浮き上がり、横すべりや、ポールＰからの外れを確実に阻止するようになる。
【０００８】
しかし、この手段には、ハンガーＡのフック部２を、合成樹脂材により成形し、かつ、Ｖ字形の係止部材３の支軸ａを軸支するための軸支部ｂを、図２にあるように、軸方向視で、軸穴４０の内周壁の一部に外部に対し開放する開裂部４１のある形状に形成しておいて、これに対する支軸ａの嵌合が、軸方向と直交する側方から開裂部４１を介して押し込みにより行われるようにし、支軸ａの嵌合・軸支の操作がたやすくなるように構成したときに、軸支部ｂに嵌合した支軸ａが軸支部ｂから外れ、係止部材３がフック部２から脱落するようになる問題がでてくる。
【０００９】
特に、物干竿にフック部２を引き掛ける際、ポールＰがＶ字形の係止部材３の短脚片３１の外面側に入り込む状態となったときに、係止部材３の支軸ａが軸支部ｂの軸穴４０の開裂部４１から脱出してきて、係止部材３の外れを生ぜしめる現象がでてくる。
【発明の開示】
【発明が解決しようとする課題】
【００１０】
本発明において解決しようとする点は、略Ｖ字形に成形する係止部材をフック部の内周側において、支軸中心に上下に回動自在に軸支するために、フック部に形設しておく軸支部を、軸方向視において、周方向の一部に外部に対し開放する開裂部のある軸穴状に成形して、支軸の嵌合が軸方向と直交する側方からの押し込みによりたやすく行えるようにしたときに、例えば、フック部を、それの係止部材とポールとが、正常でない状態でポールに引き掛けて吊したときに、支軸が軸支部から外れてＶ字形の係止部材が脱落する場合を生ぜしめるようになる点にある。
【課題を解決するための手段】
【００１１】
上述の課題を解決するための本発明手段は、略Ｖ字状に成形した係止部材３の基端側に設けた支軸ａを嵌合せしめて軸支するよう、鈎状に成形するフック部２の内周縁に、軸方向視において、周方向の一部に外部に向け開放する開裂部４１のある軸穴状をなす軸穴４０として形成する軸支部ｂを、それの開裂部４１が、該軸穴状の軸支部ｂの周縁で、フック部２の内周側に位置する部位４ａの下端側に、下方に向け開放する形状に形成しておくことを特徴とするものである。
【発明の効果】
【００１２】
本発明手段は、ハンガーＡのフック部２を、ポールＰに引き掛けていく操作を行なう際、その操作の際のフック部２の動きにより、Ｖ字形をなす係止部材３が回動することにより、その係止部材３が、図６にあるよう、支軸ａ中心に上方に回動した状態のところに、ポールＰが下方から当接することで、係止部材３の下位の脚片３１の下面とフック部２の内周縁との間にポールＰが嵌入した状態となり、この状態からフック部２がポールＰに対し下降して、係止部材３がポールＰにより支軸ａ中心に図６において矢印イに示す方向に上向き回動し、それにより、図７にあるように、係止部材３の上位側の脚片３０の外面側がフック部２に設けたストッパＳに対し接触点ｚにより衝合し、さらなる係止部材３の上向き回動で、同図６において矢印イに示すようその当接面ｗとの接触点ｚを支点として係止部材３を旋回させる応力が生じ、それにより、同図７において矢印ロに示しているように、支軸ａを軸方向視でポールＰの周面に沿う方向に動かす力が働きその力が開裂部４１を形成する素材の弾性の限界を越したところで、支軸ａが開裂部４１を押し拡げて、開裂部４１から飛び出すようになってきたときに、この支軸ａを、開裂のある軸穴状の軸支部ｂの周縁部の、フック部２の内周側に露出している部位４ａが、開裂部４１の上方において、支軸ａを外側から抑え込むようになって、開裂部４１の弾性による拡張を抑止し支軸ａを軸穴４０内に保持する限界を増大させるようになるので、開裂部４１からの支軸ａの飛び出しを効果的に阻止しながら、係止部材３の支軸ａの軸支部ｂに対する嵌合・軸支をたやすいものとし得るようになる。
【発明を実施するための最良の形態】
【００１３】
本発明によるハンガーの係止装置は、略Ｖ字形の係止部材３の基端部に設ける支軸ａを軸支するために、フック部２の内周縁に形設しておく、軸方向視において周縁の一部に開裂部４１のある軸穴状の軸穴４０に形成する軸支部ｂを、それの開裂部４１が、軸穴４０の内周壁の下縁側において下方に向けて開口し、それの周縁部のフック部２の内周側に対面する部位４ａが、軸支部ｂの軸穴４０の外周をフック部２の内周側から囲い込む形状のものとして、フック部２に形設するが、この軸支部ｂを形設するフック部２自体については、バネ材または合成樹脂材などの適宜の資材を用いて成形してよい。
【００１４】
バネ材または合成樹脂材でフック部２を成形するときは、軸支部ｂは、フック部２を成形する資材により、フック部２と一体に連続する形態のものとして成形してよい。
【００１５】
このとき、成形した軸支部ｂに、別に、バネ材または合成樹脂材などの適宜の資材で形成しておく略Ｖ字形の係止部材３の基端部に設けておく支軸ａを、軸支部ｂの開裂部４１から押し込んで軸支させる際に、その支軸ａの押し込みがたやすく行われ、かつ、押し込んだ後の支軸ａの保持が適確に行われるようにするため、軸支部ｂの周縁部で、フック部２の内周側に対面する部位４ａは、弾性的に撓曲するよう形成しておいて、その弾性により開裂部４１が拡縮し、かつ、支軸ａが軸穴４０内に嵌入したときに、それを嵌合した状態に抑え込むようにしておくことが望ましい。
【００１６】
軸支部ｂの軸穴４０に設ける開裂部４１は、軸支部ｂを剛体で構成しても、その軸支部ｂの開裂部４１は支軸ａの嵌合の際、構成する素材の弾性により拡縮するようになるのが免れないことから、外力が係止部材に加えられることで、支軸ａの開裂部４１からの脱出が生じるようになる。
【００１７】
このことから、この軸穴４０の周縁部でフック部２の内腔に対面する側に、軸穴４０をフック部２の内周側から囲い込むように設ける上述の部位４ａは、図７にあるように、係止部材３が接触点ｚを支点として旋回する力を受けたときに、支軸ａを開裂部４１の上方における該部位４ａの内壁面が支軸ａを軸穴４０内に位置するよう押さえ込むようになって、支軸ａの軸穴４０内への保持を確実なものとする。
【００１８】
係止部材３は、それの上位側の脚片３０と下位側の脚片３１とが、基端側となる一端側で連結して、略Ｖ字形となすように成形してあればよく、適宜の資材で成形してよいが、バネ材または弾性を有する合成樹脂材で成形して、両脚片３０・３１の間隔ｃ内に抱え込むポールＰを、その両脚片３０・３１の弾性の復元力による変形で生じてくるベクトルの合成力によりポールを押し出す力で、フック部２の内周側に形設する当接面ｗに押し付けていくようにしておくことは有効である。
【実施例１】
【００１９】
図８乃至図１０は、本発明手段によるハンガーの係止装置の一実施例を示し、これら図において、１はハンガーＡの主体部、２はその主体部１の頂部に設けたフック部、３は上位側の脚片３０と下位側の脚片３１とで正面視において略Ｖ字形に成形した係止部材、ａはその係止部材３の基端部に設けた支軸、ｂはこの支軸ａを嵌合せしめて係止部材３を支軸ａ中心に上下に回動自在に軸支するようフック部２の内周縁に形設した軸方向視で周方向の一部に開裂のある軸穴状に形成した軸支部、ｃはポールＰを抱き込む係止部材３の両脚片３０・３１の間隔、ｗは、係止部材３の両脚片３０・３１の間隔ｃ内に周面の一半側が嵌入して抱え込まれたポールＰの周面の他半側を当接させるように、フック部２の内周縁に形設した当接面、ｗ’は、ハンガーＡを引き掛けるポールＰが、直径約２２ミリの小径の物干竿である場合に、その小径のポールＰ’の外周面の他半側を当接させるようフック部２の内周縁の天井部に形設した小径のポール用の当接面である。
【００２０】
この実施例のフック部２は、弾性を具備する合成樹脂材を用いて、主体部１と一体に連続させて成型してある。
【００２１】
また、フック部２の内周縁に形設した軸支部ｂは、図９にあるように、軸穴４０を囲う周縁部の、フック部２の内周側に対面する部位４ａを、それの上端側がフック部２に一体に連結し、中間部が軸穴４０の周面に沿い弧状に彎曲し、下端側が軸穴４０の下縁側に形設せる開裂部４１に臨む弧状の角状に形成してある。
【００２２】
５は、ハンガーＡを引き掛けるのが、物干場に張架したロープＲであるときに、そのロープＲに対してハンガーＡを係着させるためにフック部２の内周縁に装設したロープ用の係着部材で、フック部２の内周縁の天井部位に、フック部２の立ち上り部２ａと遊端部２ｂとの各内周縁から、フック部２の内周縁の頂部に向けて弧状に彎曲しながら突出するアーム５０・５１を、フック部２を成形する合成樹脂材により一体に連続させて形設し、それらアーム５０・５１の突出端側を、合掌状に対向させることで構成してあり、これにより、ハンガーＡのフック部２をロープＲに引き掛けたときに、ロープＲと当接するＶ字形の係止部材３が上方に回動して、これを通過するようになるロープＲが、アーム５０・５１の合掌部位に嵌入することで、そのロープＲを挟持してロープＲに対し係着するようにしてある。
【００２３】
そして、このロープ係着用の係着部材５のアーム５１は、それの下面側に、前述した小径のポールＰ’の外周面を当接させる当接面ｗ’を形成することで、その当接面ｗ’の形成部材にも利用している。
【００２４】
そして、この軸支部ｂの、軸穴４０の周囲を囲う周縁部で、フック部２の内側空間に対面する部位４ａは、それの開裂部４１に臨む下端の端面を、図１０にあるように、正面視（軸穴４０の軸方向視）において、下方に向かいフック部２の内側空間に寄る斜めの傾斜面ｄに形成してあって、この傾斜面ｄにより、軸穴４０内に支軸ａを嵌入させるときに、その支軸ａを軸穴４０の内腔に向け誘導する案内面を形成するようにしている。
【００２５】
この支軸ａの案内面とする傾斜面ｄの傾斜角度は、図１０にあるように、フック部２の内壁面で、軸穴４０の開裂部４１の下方に位置する部位との間に、支軸ａを軸穴４０から外れにくくするための適宜の開き角度が形成されるようにしている。
【図面の簡単な説明】
【００２６】
【図１】係止装置付きハンガーの正面図である。
【図２】同上ハンガーのフック部の正面図である。
【図３】同上フック部の係止装置を設けた状態の正面図である。
【図４】同上のフック部のポールに引き掛けた状態時の説明図である。
【図５】同上のフック部を小径のポールに引き掛けるときの説明図である。
【図６】同上のフック部を小径のポールに引き掛けた状態時の説明図である。
【図７】同上のフック部をポールに引き掛ける際に、誤操作を生じたときの説明図である。
【図８】本発明による係止装置付きのハンガーの正面図である。
【図９】同上ハンガーのＶ字形の係止部材を組付ける前の斜視図である。
【図１０】同上のハンガーのフック部の正面図である。
【符号の説明】
【００２７】
Ａ…ハンガー、Ｐ・Ｐ’…ポール、Ｒ…ロープ、Ｓ…ストッパ、ａ…支軸、ｂ…軸支部、ｃ…間隔、ｄ…傾斜面、ｗ・ｗ’…当接面、ｚ…接触点、１…主体部、２…フック部、２ａ…立ち上り部、２ｂ…遊端部、３…係止部材、３０…上位側の脚片、３１…下位側の脚片、４ａ…内周側に対面する部位、４０…軸穴、４１…開裂部、５…係着部材、５０・５１…アーム。
【図１】
2005342080.tif 000003
【図２】
2005342080.tif 000004
【図３】
2005342080.tif 000005
【図４】
2005342080.tif 000006
【図５】
2005342080.tif 000007
【図６】
2005342080.tif 000008
【図７】
2005342080.tif 000009
【図８】
2005342080.tif 000010
【図９】
2005342080.tif 000011
【図１０】
2005342080.tif 000012